(57)【要約】【課題】  環境に配慮し、付加価値があり、手にした人の印象にも残りやすいクリーナー人形を提供する。【解決手段】  頭部(10)および胴部(20)を備え、  前記頭部(10)および／または前記胴部(20)には、その外表面を形成する外布(11)と、その外布(11)が形成する内部空間に充填される充填材(12)とを備え、  前記胴部(20)には、四肢(21,22,23,24)を備える。また、前記外布(11)の少なくとも一部は、清掃に適した合成繊維にて形成し、前記充填材(12)は、合成樹脂の端材を含んだことを特徴とする。【選択図】  図１
0003126737.tif 000002
【実用新案登録請求の範囲】
【請求項１】
頭部および胴部を備え、
前記頭部および／または前記胴部には、その外表面を形成する外布と、その外布が形成する内部空間に充填される充填材とを備え、
前記胴部には、四肢を備え、
前記外布の少なくとも一部は、清掃に適した合成繊維にて形成し、
前記充填材は、合成樹脂の端材を含んだことを特徴とするクリーナー人形。
【請求項２】
前記外布は、その内部空間に対して前記充填材を挿入可能であるような挿入口を備え、
その挿入口は、充填材の挿入後に前記内部空間を閉塞可能な閉塞構造を備えたことを特徴とする請求項１記載のクリーナー人形。
【請求項３】
前記頭部には、髪の毛を模した線材を複数固定するとともに、
その複数の線材は、当該クリーナー人形を所定方向から見た場合に所定の形状をかたどるように形成したことを特徴とする請求項１または請求項２のいずれかに記載のクリーナー人形。
【請求項４】
前記胴部には、所定の形状を記したことを特徴とする請求項１から請求項３のいずれかに記載のクリーナー人形。
【請求項５】
前記充填材は、前記外布の内部空間に挿入可能な中袋に充填されることとした請求項２から請求項４のいずれかに記載のクリーナー人形。
【請求項６】
少なくとも外布及び充填材を同じ材質のものを用いたことを特徴とする請求項１ないし５のいずれかに記載のクリーナー人形。
【請求項７】
外布や充填材等の使用する材料に分別が可能なように色分け又は印を付したことを特徴とする請求項１ないし６のいずれかに記載のクリーナー人形。
【考案の詳細な説明】
【技術分野】
【０００１】
本考案は、手触りに優れ、ＯＡ機器のガラス部分や眼鏡などの清掃にも適したクリーナー人形に関する。
【背景技術】
【０００２】
古くから、人間や動物や各種キャラクターを模した人形が提供されてきている。比較的硬い材料にて形成される人形の他、手触りや弾力のある感触を楽しめるいわゆる縫いぐるみも、数多くの種類が提供されてきている。
【０００３】
いわゆる子どもの玩具としての人形や縫いぐるみの他、実用性を兼ねた人形も、数多く提供されている。たとえば、特許文献１や特許文献２には、ＯＡ機器などの誇りや汚れを払拭するのに適した清掃用具としての縫いぐるみが開示されている。
【特許文献１】特開２００２−１３６４６０号公報
【特許文献２】特開２００３−５０９号公報
【考案の開示】
【考案が解決しようとする課題】
【０００４】
さて、近年では、環境に配慮した製品を生産することが、企業において求められるようになってきた。たとえば、企業にて使用される封筒や名刺なども、再生紙であることが当たり前になってきた。しかしながら、人形という玩具または清掃用具を兼ねた縫いぐるみにおいて、環境に配慮した製品とすることは困難だった。人形または縫いぐるみといった製品の性質上、人体に触れて使用するため、衛生面などの見地から再生材料を使用しなかったと考えられる。
【０００５】
また、近年では、企業名や商品名の宣伝広告、販売促進の役割を期待されたノベルティグッズとしても、人形や縫いぐるみが使用されるようになった。しかし、ノベルティグッズとはいえ、物が溢れている今日の日本においては、役に立つ、楽しめる、などの付加価値が求められる。
【０００６】
企業において、ノベルティグッズは、企業名や商品名を広報し、認知度を高める役割を担っている。しかし、企業名や商品名が書かれているだけ、名札などに書かれた企業名や商品名が名札に書かれてその名札が人形や縫いぐるみに固定されているだけでは、手にした人の印象に残りにくい。
【０００７】
本願考案が解決すべき課題は、環境に配慮し、付加価値があり、手にした人の印象にも残りやすいクリーナー人形を提供することにある。
【課題を解決するための手段】
【０００８】
上記課題を解決するため、以下のような考案を提供する。
請求項１記載の本考案では、頭部(10)および胴部(20)を備え、  前記頭部(10)および／または前記胴部(20)には、その外表面を形成する外布(11)と、その外布(11)が形成する内部空間に充填される充填材(12)とを備え、  前記胴部(20)には、四肢(21,22,23,24)を備える。  また、前記外布(11)の少なくとも一部は、清掃に適した合成繊維にて形成し、  前記充填材(12)は、合成樹脂の端材を含んだことを特徴とする。
【０００９】
「清掃に適した合成繊維」とは、例えば、ポリエチレン、ポリエステル、ナイロン、レーヨン、ポリプロピレン、アクリル、ポリ乳酸等の生分解性プラスチック等の合成繊維からなる超極細繊維からなる織布や不織布である。合成繊維は、速乾性などの点でもすぐれ、手触りがよいので、縫いぐるみとしても適している。
繊維を構成する樹脂は前述の繊維を単独で用いてもよいし、２種以上を組み合わせて用いてもよい。超極細繊維としては、割繊したものが好ましい。この様な形状のものを用いることにより、汚れの中に繊維を浸入させ易くなるため汚れのふき取り性が向上し、しかも汚れを繊維中に取り込むので、ふき取り表面に再付着するのを防止することができるので好ましい。この割繊は、２種以上の繊維を組み合わせた複合糸を化学的に処理したものを用いてもよい。また、不織布としては、ケミカルボンド、ニードルパンチ、サーマルボンド又はスパンレースなどから製造される乾式不織布、スパンボンド又は湿式不織布等が挙げられる。
超極細繊維（以下、マイクロファイバーともいう）は化学的に組成された8ミクロン以下の極細繊維で、木綿と同等以上の吸水性や通気性・保温性を持たせた素材である。繊維断面が鋭角や多角形の形状をなしているため、きわめて細かいチリを繊維表面に取り込む性能を持つ。その機能性を活かして、メガネなどの光学レンズや自動車のボデーやガラスなどの拭取り用クロスにも多用されている。
合成繊維にて形成するのを、「外布(11)の少なくとも一部」としたのは、外布(11)の全体を合成繊維としなくても良いという趣旨である。例えば、頭部(10)における後頭部のみを合成繊維とする、胴部(20)のみを合成繊維とする、などである。
「合成樹脂の端材」とは、例えばペットボトルを裁断したチップ、樹脂製品の製造工程で出る端材、プラスチックフィルム、樹脂製品の製造原料由来の材料（例えば梱包・包装材料等）、オフィスで不要となったクリアファイル、プリンター用紙等の樹脂製品などである。最大寸法が数ミリメートル程度であり、人体に無害な材料であることが必要となる。プラスチックフィルムの厚みは、特に制限はなく、５〜３５０マイクロメートルの間のいずれも使えるが、弾力性を確保する場合には７５マイクロメートル前後が好ましい。
前述の外布(11)や充填材(12)等、使用する材料の材質を同じものを用いることにより、クリーナー人形が不要になった場合でも、リサイクル資源として再利用しやすくなる。例えば、超極細繊維をポリエステル繊維から構成した不織布、充填材をポリエステルフィルムの端材からなるチップ状物とすれば、そのままポリエステル材料として再利用可能となる。さらに、各構成材料がどのような材質のものであるか分かるように、例えば、後述する充填材と中袋とを同一の材質のもので形成し、外布を他の材質のもので形成した場合、中袋の色を変えたり、外布や中袋に材質を表示したり、材質が分かるように印を付けたりすることで、容易に分別可能となり、リサイクル資源として再利用可能となる。これは、充填材を出し入れ自由な構造とすることにより容易に得られる。
【００１０】
（作用）  請求項１に記載のクリーナー人形は、合成樹脂の端材などの廃材を有効利用しているので、環境に配慮した製品となる。また、清掃に適した素材を含んでいるので、付加価値がある。
このため、販売促進用に無料配布されるような製品、例えば携帯電話のストラップ、ＯＡ製品のクリーナー用グッズなどに適している。合成繊維にマイクロファイバーなどを採用すると、洗剤を用いなくても、かなり綺麗に清掃できる。
さらに、合成繊維は洗うことにより繰り返し使用可能となるため、充填材に合成樹脂の端材等を用いることによりクリーナー人形を丸ごと洗うことができる。
【００１１】
請求項２に記載の考案は、請求項１記載のクリーナー人形を限定したものであり、
前記外布(11)は、その内部空間に対して前記充填材(12)を挿入可能であるような挿入口(13)を備える。そして、その挿入口(13)は、充填材(12)の挿入後に前記内部空間を閉塞可能な閉塞構造（例えば、ワンタッチファスナーによるテープ部、合わせ目(15)をホックやチャックなどで閉塞するもの）を備えたことを特徴とする。
【００１２】
請求項２に記載のクリーナー人形によれば、充填材(12)の出し入れが可能なので、洗濯が容易である。
また、充填材(12)の挿入を最終消費者に委ねることによって、「クリーナー人形組立キット」として提供することもできる。
【００１３】
請求項３に記載の考案は、前記頭部(10)には、髪の毛を模した線材(14)を複数固定する。そして、その複数の線材(14)は、当該クリーナー人形を所定方向から見た場合に所定の形状をかたどるように形成したことを特徴とする。
【００１４】
「線材(14)」は、金属線のように堅い材料である必要はない。例えば、腰のある太めの繊維、熱可塑性樹脂製の線材などである。
「所定の形状」とは、例えば、登録商標、企業のハウスマークなどである。当該クリーナー人形がある企業名の広告用に配布されるものである場合には、当該企業のハウスマークを髪の毛を模した線材(14)にて形成する。これによって、当該クリーナー人形を手にした人の印象にも残りやすくなる。また、線材１４は着脱可能としてもよい。
【００１５】
請求項４に記載の考案は、請求項１から請求項３のいずれかに記載のクリーナー人形を限定したものである。
すなわち、前記胴部(20)には、所定の形状を記したことを特徴とする。
なお、「所定の形状」とは、例えば、登録商標、企業のハウスマークなどである。
【００１６】
請求項４に記載の考案によれば、胴部に所定の形状を記してあるので、当該クリーナー人形を手にした人の印象にも残りやすくなる。
【００１７】
請求項５に記載の考案は、請求項２から請求項４のいずれかに記載のクリーナー人形を限定したものである。
すなわち、前記充填材(12)は、前記外布(11)の内部空間に挿入可能な中袋（図示を省略）に充填されることとしたことを特徴とする。
【００１８】
請求項５に記載の考案によれば、中袋に充填材(12)を入れてから外布(11)の内部空間に挿入することとなるので、組立キットとして提供する場合に、組み立てやすい。
【００１９】
なお、請求項６に記載したように、少なくとも外布及び充填材を同じ材質のものを用いたクリーナー人形を提供することもできる。
【００２０】
また、請求項７に記載したように、外布や充填材等の使用する材料に分別が可能なように色分け又は印を付したことを特徴とするクリーナー人形を提供することもできる。
【考案の効果】
【００２１】
請求項１〜７記載の考案によれば、環境に配慮し、付加価値があり、手にした人の印象にも残りやすいクリーナー人形を提供することができた。
【考案を実施するための最良の形態】
【００２２】
本願考案を、図面および実施形態によって更に詳しく説明する。ただし本願考案は、下記の実施形態に限られない。
【００２３】
図１に示すクリーナー人形は、頭部１０および胴部２０を備え、前記頭部１０には、その外表面を形成する外布１１と、その外布１１が形成する内部空間に充填される充填材１２（図２にて図示）とを備え、前記胴部２０には、四肢すなわち右手２１、左手２２、右足２３、左足２４を備える。胴部２０に比して頭部１０を大きくデザインしている。
前記頭部１０を形成する外布１１は、清掃に適した合成繊維、ここではマイクロファイバーの不織布にて形成している。
【００２４】
頭部１０には、髪の毛を模した熱可塑性樹脂製の線材１４を４本固定している。この４本の線材１４は、正面から全体を見ると「Ｓ」を模した形状となる。この複数の線材１４が形成する形状は、当該クリーナー人形を配布する企業に関連する形状としている。そのため、当該クリーナー人形が当該企業名の広告用に配布されるものである場合には、当該クリーナー人形を手にした人の印象にも残りやすくなる。線材１４を着脱自在とすることにより、他の部分と異なる材質を用いた場合でも、分別し易くなる。
【００２５】
胴部２０には、所定の文字や記号、例えば、登録商標、企業のハウスマークなどを付する。これにより、当該クリーナー人形を手にした人の印象をより高めることに寄与する。
なお、胴部２０は、内部空間として頭部１０と連続している。
【００２６】
図２に示すように、頭部１０の外表面を形成する外布１１が形成する内部空間には、充填材１２を充填する。この充填材１２は、プラスチックフィルムの製造工程にて発生する端材である。こうした端材は廃棄処分されることが多いので、廃材の有効活用に寄与することとなる。前記のプラスチックフィルムは、最大寸法が数ミリメートル以下としており、その厚みは７５マイクロメートル前後である。弾力性を確保するのに好ましいからである。
頭部１０と胴部２０とは、内部空間が連続しているので、充填材１２を充填すると、図２にて図示するように人形全体が膨らむ。膨らんだ状態の頭部１０の後頭部は、クリーナーとして使用する面に適している。
【００２７】
図２および図３にて示すように、外布１１には、その内部空間に対して前記充填材１２を挿入可能であるような挿入口１３を備えている。そして、その挿入口１３は、充填材１２の挿入後に前記内部空間を閉塞可能な閉塞構造としている。この実施形態では合わせ目１５をホックやチャックなどで閉塞するものを採用している。
なお、この挿入口１３は、胴部２０の背面などに設けることとしても良いが、ポケット等のように開口部上を外布１１の一部で覆うようにしても良い。
【００２８】
充填材１２は、図示を省略した袋に詰め、頭部１０には挿入しない状態で提供する。すなわち、充填材１２の挿入を最終消費者に委ねることによって、「クリーナー人形組立キット」として提供するのである。
なお、充填材１２の出し入れが可能なので、洗濯やリサイクル資源として再利用するための分別も容易である。
【００２９】
「クリーナー人形組立キット」として提供することにより、組立作業は極めて簡単ではあるが組立の説明図が必要となる。この説明図において、充填材１２が廃材の有効活用となっていること、当該クリーナー人形を配布している企業体の説明などを併せて記載することが可能となる。
単なるクリーナー人形として配布した場合には、当該クリーナー人形を配布している企業体の説明文を添付しても、読まれずに捨てられてしまう可能性が高いことに比して、広報効果が期待できる。
【００３０】
また、クリーナー機能の低下などによりクリーナー人形が不要になった場合、リサイクル資源として再利用するため、外布１１や充填材１２等、人形を構成する材質を同じものとすることにより分別せずに、リサイクル資源として再利用できる。さらに、構成材料を異なる材質ものものを用いた場合でも、材質が分かるようになっているので、目的に合わせ再利用が容易にできる。
【産業上の利用可能性】
【００３１】
本考案は、玩具、ノベルティグッズとしての利用可能性がある。また、携帯電話やパーソナルコンピュータなどの各種の液晶画面、車のフロントガラスなどのクリーナーとして適した人形である。
【図面の簡単な説明】
【００３２】
【図１】本考案の実施形態を示す正面図である。
【図２】本考案の実施形態を示す側面図である。
【図３】本考案の実施形態を示す背面図である。
【符号の説明】
【００３３】
１０：頭部                  １１：外布
１２：充填材                １３：開口部
１４：線材                  １５：合わせ目
２０：胴部                  ２１：右手
２２：左手                  ２３：右足
２４：左足
【図１】
0003126737.tif 000003
【図２】
0003126737.tif 000004
【図３】
0003126737.tif 000005
【手続補正書】
【提出日】平成18年8月30日(2006.8.30)
【手続補正１】
【補正対象書類名】図面
【補正対象項目名】図１
【補正方法】変更
【補正の内容】
【図１】
0003126737.tif 000006